(57)【要約】      （修正有）【課題】携帯端末が送受信するデータが暗号化される場合であっても、携帯端末がコンテンツを取得したときの通信履歴を記憶することを可能とする。【解決手段】通信システムＳのコンテンツ提供装置４は、コンテンツの取得要求に所定の情報が含まれていない場合に、コンテンツＵＲＬをパラメータ情報として含むリダイレクト情報を取得要求の送信元に送信し、所定の情報が含まれている場合に、コンテンツを取得要求の送信元に送信する。通信システムＳの中継装置２は、コンテンツの取得要求を受け付けると、所定の情報を含むコンテンツの取得要求を送信することによりコンテンツを取得して取得要求の送信元に送信し、コンテンツの取得に要した通信量と、中継アドレスに対応するコンテンツの取得要求に含まれる、当該取得要求を行った携帯端末１の端末識別情報とを関連付けて、コンテンツのプロバイダへの請求に関する通信履歴情報として記憶部に記憶させる。【選択図】図１
2019149688.tif 000002
【特許請求の範囲】
【請求項１】
コンテンツを提供するコンテンツ提供装置と、所定の通信事業者が提供する通信ネットワークにおける通信を中継する中継装置とを備える通信システムであって、
前記コンテンツ提供装置は、
前記コンテンツのアドレスへのアクセスを受け付けることにより前記コンテンツの取得要求を受け付ける受付部と、
前記受付部が受け付けた前記取得要求が前記通信ネットワークを使用する端末により行われ、当該取得要求に所定の情報が含まれていない場合に、前記コンテンツのアドレスをパラメータ情報として含み、前記中継装置のアドレスである中継アドレスをリダイレクト先とするリダイレクト情報を前記取得要求の送信元に送信し、当該取得要求に前記所定の情報が含まれている場合に、前記コンテンツを前記取得要求の送信元に送信する送信部と、
を有し、
前記中継装置は、
前記中継アドレスへのアクセスを受け付けることにより前記コンテンツの取得要求を受け付けると、前記中継アドレスにパラメータ情報として含まれる前記コンテンツのアドレスに前記所定の情報を含む前記コンテンツの取得要求を送信することにより前記コンテンツを取得し、当該コンテンツを前記中継アドレスへのアクセス元に送信する中継部と、
前記コンテンツの取得に要した通信量と、前記中継アドレスに対応する前記コンテンツの取得要求に含まれる、当該取得要求を行った端末を識別する端末識別情報とを関連付けて、前記コンテンツのプロバイダへの請求に関する通信履歴情報として記憶部に記憶させる記憶制御部と、
を有する、
通信システム。
【請求項２】
前記送信部は、前記受付部が受け付けた前記取得要求に含まれる、前記取得要求を行った端末に関する情報に基づいて、前記取得要求が前記通信ネットワークを使用する端末により行われているか否かを判定する、
請求項１に記載の通信システム。
【請求項３】
前記送信部は、前記受付部が受け付けた前記取得要求が前記通信ネットワークを使用しない端末により行われている場合には、前記コンテンツを前記取得要求のアクセス元に送信する、
請求項１又は２に記載の通信システム。
【請求項４】
前記送信部は、パラメータ情報として前記所定の情報を含む前記コンテンツのアドレスを、前記中継アドレスにパラメータ情報として含ませる、
請求項１から３のいずれか１項に記載の通信システム。
【請求項５】
前記コンテンツ提供装置は、
前記取得要求に前記所定の情報が含まれている場合に、前記送信部が、前記コンテンツを前記取得要求のアクセス元に送信すると、前記コンテンツのアドレスと、前記コンテンツの送信に要した通信量とを関連付けて前記プロバイダへの請求に関する通信履歴情報として記憶部に記憶させる記憶制御部をさらに備える、
請求項１から４のいずれか１項に記載の通信システム。
【請求項６】
コンテンツを提供するコンテンツ提供装置と、所定の通信事業者が提供する通信ネットワークにおける通信を中継する中継装置とを備える通信システムが実行する通信履歴記憶方法であって、
前記コンテンツ提供装置が、前記コンテンツのアドレスへのアクセスを受け付けることにより前記コンテンツの取得要求を受け付けるステップと、
前記コンテンツ提供装置が、受け付けた前記取得要求が前記通信ネットワークを使用する端末により行われ、当該取得要求に所定の情報が含まれていない場合に、前記コンテンツのアドレスをパラメータ情報として含み、前記中継装置のアドレスである中継アドレスをリダイレクト先とするリダイレクト情報を前記取得要求の送信元に送信するステップと、
前記中継装置が、前記中継アドレスへのアクセスを受け付けることにより前記コンテンツの取得要求を受け付けると、前記中継アドレスにパラメータ情報として含まれる前記コンテンツのアドレスに前記所定の情報を含む前記コンテンツの取得要求を送信するステップと、
前記コンテンツ提供装置が、受け付けた前記取得要求に前記所定の情報が含まれている場合に、前記コンテンツを前記取得要求の送信元に送信するステップと、
前記中継装置が、前記コンテンツ提供装置から前記コンテンツを取得し、当該コンテンツを前記中継アドレスへのアクセス元に送信するステップと、
前記中継装置が、前記コンテンツの取得に要した通信量と、前記中継アドレスに対応する前記コンテンツの取得要求に含まれる、当該取得要求を行った端末を識別する端末識別情報とを関連付けて、前記コンテンツのプロバイダへの請求に関する通信履歴情報として記憶部に記憶させるステップと、
を備える通信履歴記憶方法。
【発明の詳細な説明】
【技術分野】
【０００１】
本発明は、通信システム及び通信履歴記憶方法に関する。
【背景技術】
【０００２】
従来、携帯端末が、携帯電話網を介してコンテンツを取得した場合に、携帯電話網を提供する通信事業者が、コンテンツの取得に対して行われた通信に係る費用をコンテンツを提供するプロバイダに請求するスポンサードデータサービスが知られている（例えば、特許文献１を参照）。
【０００３】
図５は、従来のスポンサードデータサービスの概要を示す図である。図５に示すように、通信事業者は、自身が提供する通信ネットワークＮにおいて、携帯端末１０２の通信を監視し、当該携帯端末１０２がコンテンツを取得したときのコンテンツの取得に係る通信履歴を記録する。そして、通信事業者は、当該通信履歴に基づいて、コンテンツの取得に関する通信費用を携帯端末１０２のユーザに請求せずに、プロバイダに請求する。プロバイダは、携帯端末１０２のコンテンツへのアクセスを記録しておき、当該アクセスと、コンテンツの取得に関する通信費用の請求内容とを照合し、通信費用を通信事業者に支払う。
【先行技術文献】
【特許文献】
【０００４】
【特許文献１】特開２０１７−１２１０７９号公報
【発明の概要】
【発明が解決しようとする課題】
【０００５】
近年、ウェブコンテンツを解析するコンテンツ解析事業者が、ウェブアクセスに関する解析を行うためにプロキシサーバを提供し、携帯端末からコンテンツ提供装置へのアクセスを、当該プロキシサーバ経由にすることが行われている。
【０００６】
図６は、携帯端末がプロキシサーバを介してコンテンツ提供装置にアクセスする例を示す図である。図６に示すように、携帯端末１０２とプロキシサーバ１０３との間の通信には、ＨＴＴＰＳ（Hypertext Transfer Protocol Secure）等が用いられることにより、通信が暗号化されることがある。
【０００７】
この場合、通信事業者が提供する通信ネットワークＮを通過する、携帯端末１０２とプロキシサーバ１０３との間で送受信される通信データも暗号化される。このため、通信事業者は、携帯端末１０２がプロキシサーバ１０３を介してコンテンツを取得したときのコンテンツの取得に係る通信履歴を記録することができないという問題がある。
【０００８】
そこで、本発明はこれらの点に鑑みてなされたものであり、携帯端末が送受信するデータが暗号化される場合であっても、携帯端末がコンテンツを取得したときの通信履歴を記憶することができる通信システム及び通信履歴記憶方法を提供することを目的とする。
【課題を解決するための手段】
【０００９】
本発明の第１の態様に係る通信システムは、コンテンツを提供するコンテンツ提供装置と、所定の通信事業者が提供する通信ネットワークにおける通信を中継する中継装置とを備える通信システムであって、前記コンテンツ提供装置は、前記コンテンツのアドレスへのアクセスを受け付けることにより前記コンテンツの取得要求を受け付ける受付部と、前記受付部が受け付けた前記取得要求が前記通信ネットワークを使用する端末により行われ、当該取得要求に所定の情報が含まれていない場合に、前記コンテンツのアドレスをパラメータ情報として含み、前記中継装置のアドレスである中継アドレスをリダイレクト先とするリダイレクト情報を前記取得要求の送信元に送信し、当該取得要求に前記所定の情報が含まれている場合に、前記コンテンツを前記取得要求の送信元に送信する送信部と、を有し、前記中継装置は、前記中継アドレスへのアクセスを受け付けることにより前記コンテンツの取得要求を受け付けると、前記中継アドレスにパラメータ情報として含まれる前記コンテンツのアドレスに前記所定の情報を含む前記コンテンツの取得要求を送信することにより前記コンテンツを取得し、当該コンテンツを前記中継アドレスへのアクセス元に送信する中継部と、前記コンテンツの取得に要した通信量と、前記中継アドレスに対応する前記コンテンツの取得要求に含まれる、当該取得要求を行った端末を識別する端末識別情報とを関連付けて、前記コンテンツのプロバイダへの請求に関する通信履歴情報として記憶部に記憶させる記憶制御部と、を有する。
【００１０】
前記送信部は、前記受付部が受け付けた前記取得要求に含まれる、前記取得要求を行った端末に関する情報に基づいて、前記取得要求が前記通信ネットワークを使用する端末により行われているか否かを判定してもよい。
【００１１】
前記送信部は、前記受付部が受け付けた前記取得要求が前記通信ネットワークを使用しない端末により行われている場合には、前記コンテンツを前記取得要求のアクセス元に送信してもよい。
前記送信部は、パラメータ情報として前記所定の情報を含む前記コンテンツのアドレスを、前記中継アドレスにパラメータ情報として含ませてもよい。
【００１２】
前記コンテンツ提供装置は、前記取得要求に前記所定の情報が含まれている場合に、前記送信部が、前記コンテンツを前記取得要求のアクセス元に送信すると、前記コンテンツのアドレスと、前記コンテンツの送信に要した通信量とを関連付けて前記プロバイダへの請求に関する通信履歴情報として記憶部に記憶させる記憶制御部をさらに備えてもよい。
【００１３】
本発明の第２の態様に係る通信履歴記憶方法は、コンテンツを提供するコンテンツ提供装置と、所定の通信事業者が提供する通信ネットワークにおける通信を中継する中継装置とを備える通信システムが実行する通信履歴記憶方法であって、前記コンテンツ提供装置が、前記コンテンツのアドレスへのアクセスを受け付けることにより前記コンテンツの取得要求を受け付けるステップと、前記コンテンツ提供装置が、受け付けた前記取得要求が前記通信ネットワークを使用する端末により行われ、当該取得要求に所定の情報が含まれていない場合に、前記コンテンツのアドレスをパラメータ情報として含み、前記中継装置のアドレスである中継アドレスをリダイレクト先とするリダイレクト情報を前記取得要求の送信元に送信するステップと、前記中継装置が、前記中継アドレスへのアクセスを受け付けることにより前記コンテンツの取得要求を受け付けると、前記中継アドレスにパラメータ情報として含まれる前記コンテンツのアドレスに前記所定の情報を含む前記コンテンツの取得要求を送信するステップと、前記コンテンツ提供装置が、受け付けた前記取得要求に前記所定の情報が含まれている場合に、前記コンテンツを前記取得要求の送信元に送信するステップと、前記中継装置が、前記コンテンツ提供装置から前記コンテンツを取得し、当該コンテンツを前記中継アドレスへのアクセス元に送信するステップと、前記中継装置が、前記コンテンツの取得に要した通信量と、前記中継アドレスに対応する前記コンテンツの取得要求に含まれる、当該取得要求を行った端末を識別する端末識別情報とを関連付けて、前記コンテンツのプロバイダへの請求に関する通信履歴情報として記憶部に記憶させるステップと、を備える。
【発明の効果】
【００１４】
本発明によれば、携帯端末が送受信するデータが暗号化される場合であっても、携帯端末がコンテンツを取得したときの通信履歴を記憶することができるという効果を奏する。
【図面の簡単な説明】
【００１５】
【図１】本実施形態に係る通信システムの概要を示す図である。
【図２】本実施形態に係る中継装置の構成を示す図である。
【図３】本実施形態に係るコンテンツ提供装置の構成を示す図である。
【図４】本実施形態における携帯端末がコンテンツ提供装置からコンテンツを取得するときの処理の流れを示すシーケンス図である。
【図５】従来のスポンサードデータサービスの概要を示す図である。
【図６】携帯端末がプロキシサーバを介してコンテンツ提供装置にアクセスする例を示す図である。
【発明を実施するための形態】
【００１６】
［通信システムＳの概要］
図１は、本実施形態に係る通信システムＳの概要を示す図である。通信システムＳは、中継装置２と、コンテンツ提供装置４とを備える。通信システムＳは、携帯端末１がコンテンツ提供装置４からコンテンツを取得したときに行われた通信に係る費用を、当該コンテンツを提供するプロバイダに請求するスポンサードデータサービスを実現するために用いられる。
【００１７】
本実施形態において、コンテンツ提供装置４は、例えば、コンテンツを提供するウェブサーバである。コンテンツ提供装置４は、スポンサードデータサービスに対応するプロバイダにより運営される。コンテンツ提供装置４からコンテンツが提供される場合に、通信ネットワークＮにおいて行われる通信に係る費用は、当該プロバイダが負担する。
【００１８】
プロキシサーバ３は、例えば、ウェブコンテンツを解析するコンテンツ解析事業者が、ウェブアクセスに関する解析を行うために用いるサーバである。プロキシサーバ３は、ＨＴＴＰＳ等の通信プロトコルを使用して携帯端末１と通信することにより、携帯端末１とプロキシサーバ３との間の通信を暗号化する。
【００１９】
携帯端末１は、例えば、スマートフォン等の携帯電話機であり、通信ネットワークＮを使用した通信を行う。本実施形態において、携帯端末１は、プロキシサーバ３を介して、コンテンツ提供装置４からコンテンツを取得することができる。
【００２０】
中継装置２は、例えば、所定の通信事業者が提供する通信ネットワークＮにおけるゲートウェイである。中継装置２は、例えば、通信ネットワークＮを提供する通信事業者により管理される。中継装置２は、通信ネットワークＮにおいて、携帯端末１の通信を監視し、当該携帯端末１のコンテンツの取得に係る通信履歴を記録する。
【００２１】
携帯端末１とプロキシサーバ３との間の通信が暗号化されている場合、中継装置２は、携帯端末１がコンテンツを取得していることを特定することができず、コンテンツの取得に係る通信履歴を記録することができなくなる。これに対して、コンテンツ提供装置４は、図１に示すように、プロキシサーバ３からコンテンツの取得要求を受け付けると、リダイレクト情報をプロキシサーバ３に送信し、リダイレクトによるコンテンツの取得要求が、中継装置２を介するように制御する。
【００２２】
中継装置２は、携帯端末１がコンテンツ提供装置４からコンテンツを取得するときの通信を中継する際に、携帯端末１を識別する端末識別情報を特定する。中継装置２は、コンテンツの取得に要した通信量と、当該端末識別情報とを関連付けた通信履歴情報を記憶する。このようにすることで、通信システムＳは、携帯端末１とプロキシサーバ３との間で送受信される通信データが暗号化される場合であっても、携帯端末１がコンテンツを取得したときの通信履歴を記憶することができる。
以下、通信システムＳの構成について説明する。
【００２３】
［中継装置２の構成例］
まず、中継装置２の構成について説明する。図２は、本実施形態に係る中継装置２の構成を示す図である。
中継装置２は、通信部２１と、記憶部２２と、制御部２３とを備える。
【００２４】
通信部２１は、携帯端末１、プロキシサーバ３及びコンテンツ提供装置４と情報を送受信するための通信インターフェースである。
記憶部２２は、例えば、ＲＯＭ（Read Only Memory）及びＲＡＭ（Random Access Memory）等である。記憶部２２は、中継装置２を機能させるための各種プログラムを記憶する。例えば、記憶部２２は、中継装置２の制御部２３を、後述する中継部２３１及び記憶制御部２３２として機能させる中継用プログラムを記憶する。
【００２５】
制御部２３は、例えばＣＰＵ（Central Processing Unit）である。制御部２３は、記憶部２２に記憶されている各種プログラムを実行することにより、中継装置２に係る機能を制御する。制御部２３は、中継用プログラムを実行することにより、中継部２３１及び記憶制御部２３２として機能する。中継部２３１及び記憶制御部２３２の機能の詳細については後述する。
【００２６】
［コンテンツ提供装置４の構成例］
続いて、コンテンツ提供装置４の構成について説明する。図３は、本実施形態に係るコンテンツ提供装置４の構成を示す図である。
コンテンツ提供装置４は、通信部４１と、記憶部４２と、制御部４３とを備える。
【００２７】
通信部４１は、携帯端末１、中継装置２及びプロキシサーバ３と情報を送受信するための通信インターフェースである。
記憶部４２は、例えば、ＲＯＭ及びＲＡＭ等である。記憶部４２は、コンテンツ提供装置４を機能させるための各種プログラムを記憶する。例えば、記憶部４２は、コンテンツ提供装置４の制御部４３を、後述する受付部４３１、送信部４３２及び記憶制御部４３３として機能させるコンテンツ提供プログラムを記憶する。
【００２８】
制御部４３は、例えばＣＰＵである。制御部４３は、記憶部４２に記憶されている各種プログラムを実行することにより、コンテンツ提供装置４に係る機能を制御する。制御部４３は、中継用プログラムを実行することにより、受付部４３１、送信部４３２及び記憶制御部４３３として機能する。
【００２９】
［コンテンツ取得に係る処理の流れ］
以下に、携帯端末１がコンテンツ提供装置４からコンテンツを取得するときの処理の流れを示すシーケンス図を参照しながら、制御部２３及び制御部４３が備える各機能について説明を進める。図４は、本実施形態における携帯端末１がコンテンツ提供装置４からコンテンツを取得するときの処理の流れを示すシーケンス図である。ここでは、携帯端末１がブラウザアプリケーションを用いてコンテンツを取得する例について説明する。
【００３０】
まず、携帯端末１は、ブラウザアプリケーションに予め設定されているプロキシサーバ３のホスト名宛に暗号通信路としてのＴＬＳ（Transport Layer Security）コネクションを確立する（Ｓ１）。
【００３１】
続いて、携帯端末１は、ＴＬＳコネクションを用いて、コンテンツの取得要求をプロキシサーバ３に送信する（Ｓ２）。ここで、携帯端末１は、ＴＬＳコネクションを用いて、コンテンツ提供装置４が提供するコンテンツのアドレスを示すコンテンツＵＲＬを宛先とするコンテンツの取得要求を送信する。携帯端末１は、プロキシサーバ３とＴＬＳコネクションを接続していることから、コンテンツの取得要求をプロキシサーバ３に送信する。
【００３２】
コンテンツの取得要求には、携帯端末１に関する情報であるユーザエージェント情報が含まれている。ユーザエージェント情報には、携帯端末１の種別、携帯端末１が使用するオペレーティングシステムの種別、ブラウザ種別、携帯端末１が使用する通信ネットワークの種別が含まれている。
続いて、プロキシサーバ３は、コンテンツの取得要求を受信すると、コンテンツの取得要求が示すコンテンツＵＲＬを宛先とする、コンテンツの取得要求を送信する（Ｓ３）。
【００３３】
続いて、コンテンツ提供装置４の受付部４３１は、コンテンツＵＲＬへのアクセスを受け付けることによりコンテンツの取得要求を受け付ける。
続いて、コンテンツ提供装置４の送信部４３２は、受付部４３１が受け付けたコンテンツの取得要求が通信ネットワークＮを使用する携帯端末１により行われ、当該コンテンツの取得要求に所定の情報が含まれているか否かを判定する。
【００３４】
まず、送信部４３２は、コンテンツの取得要求に含まれているユーザエージェント情報に基づいて、コンテンツの取得要求が通信ネットワークＮを使用する携帯端末１により行われているか否かを判定する。送信部４３２は、コンテンツの取得要求が通信ネットワークＮを使用する携帯端末１により行われているか否かを判定すると、コンテンツの取得要求（コンテンツＵＲＬ）に、所定の情報がパラメータ情報として含まれているか否かを判定する。ここで、所定の情報は、当該コンテンツの取得要求がリダイレクトであることを示す情報である。
【００３５】
送信部４３２は、コンテンツの取得要求が通信ネットワークＮを使用する携帯端末１により行われているとともに、コンテンツの取得要求に所定の情報が含まれていない場合に、中継装置２のアドレスとしての中継ＵＲＬを生成する。
【００３６】
具体的には、まず、送信部４３２は、所定の情報をパラメータ情報として含むコンテンツＵＲＬを生成する。続いて、送信部４３２は、コンテンツＵＲＬをパラメータ情報として含む中継ＵＲＬを生成する。続いて、送信部４３２は、生成した中継ＵＲＬをリダイレクト先とするリダイレクト情報をコンテンツの取得要求の送信元である、プロキシサーバ３に送信する（Ｓ４）。
【００３７】
なお、送信部４３２は、受付部４３１が受け付けた取得要求が通信ネットワークＮを使用しない端末により行われていると判定した場合には、リダイレクト情報を生成せずに、コンテンツを取得要求のアクセス元に送信する。このようにすることで、コンテンツ提供装置４は、スポンサードデータサービスに対応していない通信ネットワークを使用する端末からのアクセスについて、スポンサードデータサービスに対応する通信履歴情報が生成されることを防止することができる。
【００３８】
プロキシサーバ３は、リダイレクト情報をコンテンツ提供装置４から受信すると、当該リダイレクト情報を、コンテンツの取得要求を行った携帯端末１に送信する（Ｓ５）。
携帯端末１は、リダイレクト情報を受信すると、中継ＵＲＬを宛先とするコンテンツの取得要求を送信する。携帯端末１は、プロキシサーバ３とＴＬＳコネクションを接続していることから、コンテンツの取得要求をプロキシサーバ３に送信する（Ｓ６）。
続いて、プロキシサーバ３は、コンテンツの取得要求を受信すると、コンテンツの取得要求が示す中継ＵＲＬを宛先とする、コンテンツの取得要求を送信する（Ｓ７）。
【００３９】
続いて、中継装置２の中継部２３１は、中継ＵＲＬへのアクセスを受け付けることによりコンテンツの取得要求を受け付けると、中継ＵＲＬにパラメータ情報として含まれるコンテンツＵＲＬを抽出する（Ｓ８）。
【００４０】
また、中継装置２の中継部２３１は、プロキシサーバ３から受信したコンテンツの取得要求に基づいて、コンテンツの取得要求元の携帯端末１を識別する端末識別情報を特定する（Ｓ９）。例えば、プロキシサーバ３は、ＲＦＣ７２３９で規定されているX-forwarded-Forに対応するＨＴＴＰヘッダを用いて、端末識別情報をコンテンツ取得要求に含ませる。中継装置２の中継部２３１は、当該ＨＴＴＰヘッダを参照することにより、端末識別情報を特定する。
【００４１】
なお、プロキシサーバ３は、コンテンツ提供装置４を宛先とするコンテンツの取得要求と、中継装置２を宛先とするコンテンツの取得要求とを区別しないため、Ｓ３におけるコンテンツの取得要求時にも、X-forwarded-Forに対応するＨＴＴＰヘッダを用いるものとする。このようにすることで、プロキシサーバ３は、従来技術にない技術を実装することなく、端末識別情報を中継装置２に通知することができる。
【００４２】
続いて、中継装置２の中継部２３１は、Ｓ８において抽出したコンテンツＵＲＬを宛先とするコンテンツの取得要求をコンテンツ提供装置４に送信する（Ｓ１０）。ここで、コンテンツＵＲＬには、所定の情報が含まれている。また、中継部２３１は、コンテンツＵＲＬにアクセスしてコンテンツを取得する場合に、Ｓ９において特定した端末識別情報をコンテンツの要求元とする。
【００４３】
コンテンツ提供装置４の受付部４３１は、コンテンツの取得要求を中継装置２から受け付ける。コンテンツ提供装置４の送信部４３２は、当該取得要求が通信ネットワークＮを使用する携帯端末１により行われ、当該取得要求に所定の情報が含まれているか否かを判定する。送信部４３２は、コンテンツの取得要求が通信ネットワークＮを使用する携帯端末１により行われ、当該取得要求に所定の情報が含まれていると判定すると、コンテンツの取得要求の要求元である中継装置２にコンテンツを送信する（Ｓ１１）。
【００４４】
ここで、コンテンツの要求元は端末識別情報であることから、コンテンツ提供装置４は、端末識別情報に基づいて、携帯端末１を特定し、当該携帯端末１に対応するコンテンツを提供することができる。例えば、コンテンツ提供装置４は、予め端末識別情報と、コンテンツの状態（例えば、コンテンツが動画である場合には解像度等）とを関連付けて記憶部４２に記憶しておく。コンテンツ提供装置４の送信部４３２は、コンテンツの要求元を示す端末識別情報に関連付けられているコンテンツの状態を特定し、当該状態のコンテンツを中継装置２に送信する。
【００４５】
中継装置２の中継部２３１は、コンテンツ提供装置４からコンテンツを受信すると、当該コンテンツを、中継ＵＲＬへのアクセス元であるプロキシサーバ３に送信する（Ｓ１２）。具体的には、中継部２３１は、中継ＵＲＬに含まれる識別子に対応する端末識別情報を送信先とするコンテンツをコンテンツ提供装置４から受信すると、当該コンテンツを、中継ＵＲＬへのアクセス元であるプロキシサーバ３に送信する。
【００４６】
プロキシサーバ３は、中継装置２からコンテンツを受信すると、ＴＬＳコネクションを用いて、当該コンテンツを、コンテンツの取得要求元である携帯端末１に送信する（Ｓ１３）。
携帯端末１は、プロキシサーバ３からコンテンツを受信すると、当該コンテンツを表示する。
【００４７】
コンテンツ提供装置４の記憶制御部４３３は、コンテンツの取得要求に所定の情報が含まれている場合にコンテンツを送信すると、スポンサードデータサービスに対応しているプロバイダへの請求に関する通信履歴情報を記憶部４２に記憶させる（Ｓ１４）。通信履歴情報には、コンテンツのアドレスと、コンテンツの要求元を示す端末識別情報と、当該コンテンツの送信に要した通信量とが含まれている。ここで、コンテンツ提供装置４は、コンテンツを送信した日時を示す情報を通信履歴情報に含めてもよい。
【００４８】
中継装置２の記憶制御部２３２は、コンテンツの取得に要した通信量と、Ｓ９において特定した端末識別情報とを関連付けて、スポンサードデータサービスに対応しているプロバイダへの請求に関する通信履歴情報として、記憶部２２に記憶させる（Ｓ１５）。これにより、通信ネットワークＮを提供する所定の通信事業者は、当該通信履歴情報に基づいて、コンテンツに関する通信に対応する通信料金を携帯端末１に対する請求から差し引くとともに、当該通信料金をコンテンツのプロバイダに請求することができる。
【００４９】
［本実施形態における効果］
以上のとおり、本実施形態に係る通信システムＳは、コンテンツ提供装置４が、コンテンツの取得要求が通信ネットワークＮを使用する携帯端末１により行われ、当該取得要求に所定の情報が含まれていない場合に、コンテンツＵＲＬをパラメータ情報として含み、中継装置２のアドレスである中継ＵＲＬをリダイレクト先とするリダイレクト情報を取得要求の送信元に送信し、当該取得要求に所定の情報が含まれている場合に、コンテンツを取得要求の送信元に送信する。
【００５０】
そして、中継装置２は、中継ＵＲＬへのアクセスを受け付けることによりコンテンツの取得要求を受け付けると、中継ＵＲＬにパラメータ情報として含まれるコンテンツＵＲＬに所定の情報を含むコンテンツの取得要求を送信することによりコンテンツを取得し、当該コンテンツを中継ＵＲＬへのアクセス元に送信する。また、中継装置２は、コンテンツの取得に要した通信量と、中継ＵＲＬに対応するコンテンツの取得要求に含まれる、当該取得要求を行った端末を識別する端末識別情報とを関連付けて、コンテンツのプロバイダへの請求に関する通信履歴情報として記憶部２２に記憶させる。
【００５１】
このようにすることで、通信システムＳは、携帯端末１が送受信するデータが暗号化される場合であっても、中継装置２を介してコンテンツを提供するようにすることで、携帯端末１がコンテンツを取得したときの通信履歴を記憶することができる。また、通信システムＳは、従来技術にない技術を携帯端末１及びプロキシサーバ３に実装させることなく、携帯端末１がコンテンツを取得したときの通信履歴を記憶することができる。
【００５２】
以上、本発明を実施の形態を用いて説明したが、本発明の技術的範囲は上記実施の形態に記載の範囲には限定されず、その要旨の範囲内で種々の変形及び変更が可能である。例えば、中継装置２は、通信ネットワークＮにおけるゲートウェイであることとし、中継ＵＲＬに含まれる識別子に基づいてコンテンツを取得する場合に、当該識別子に対応する端末識別情報をコンテンツの要求元としたが、これに限らない。コンテンツ提供装置４が、ＨＴＴＰにおけるクッキー情報等を取得することにより、コンテンツの要求元を特定する場合には、通信ネットワークＮにおけるゲートウェイを中継装置２として機能させなくてもよい。
【００５３】
また、上述の実施形態では、コンテンツ提供装置４の送信部４３２が、コンテンツＵＲＬに所定の情報を含ませることとしたが、これに限らない。例えば、中継装置２の中継部２３１が、コンテンツＵＲＬに所定の情報をパラメータ情報として付加してもよい。
【００５４】
また、装置の分散・統合の具体的な実施の形態は、以上の実施の形態に限られず、その全部又は一部について、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を合わせ持つ。
【符号の説明】
【００５５】
１・・・携帯端末、１１・・・入力部、１２・・・表示部、１３・・・無線部、１４・・・記憶部、１５・・・制御部、１５１・・・通知部、１５２・・・コンテンツ取得部、１５３・・・出力部、２・・・中継装置、２１・・・通信部、２２・・・記憶部、２３・・・制御部、２３１・・・取得部、２３２・・・識別子生成部、２３３・・・送信部、２３４・・・中継部、２３５・・・記憶制御部、３・・・プロキシサーバ、４・・・コンテンツ提供装置、Ｎ・・・通信ネットワーク、Ｓ・・・通信システム
【図１】
2019149688.tif 000003
【図２】
2019149688.tif 000004
【図３】
2019149688.tif 000005
【図４】
2019149688.tif 000006
【図５】
2019149688.tif 000007
【図６】
2019149688.tif 000008